(57)【特許請求の範囲】
【請求項１】
上面を開口せる容器状で両側の対向する側壁に軒樋を接続する軒樋接続口を有すると共に底壁に竪樋に接続する排水口を有する集水器であって、上に位置する集水器を下に位置する集水器内に挿入して複数積み重ねたとき上に位置する集水器の底壁の下面を受けて支持する水平な平面の受け面が上端に形成された支持体を三角柱状または台形柱状に形成し、この支持体を軒樋の長手方向と平行な側壁の中央部分で上記側壁と排水口の間の底壁の上面に配設し、上記支持体の軒樋接続口に対向する側面が軒樋から流れる水を排水口に導き得るような傾斜面を形成したことを特徴とする集水器の構造。
【発明の詳細な説明】
【０００１】
【発明の属する技術分野】
本発明は、軒樋の水を集めて竪樋に流す集水器の構造に係る発明である。
【０００２】
【従来の技術】
従来から、軒樋と竪樋とを接合する集水器は樹脂成型にて製造されるものであり、製造設備のある工場などで生産された後に各地へ配送されている。輸送コストは、かさを低くして運ぶことでコストを下げることができるものであり、集水器もこの例に漏れることはなく輸送する際の積載を考慮した設計をしている。図４に示すように、集水器Ａは開口を上面に有した略直方体の容器状のものであり、一つの側壁１ａには軒樋が接合される軒樋接続口２が設けられていて、その側壁１ａと反対側の側壁１ａにも同様に軒樋接続口２が設けられるものである。また、底壁３には竪樋が接続される排水口１０が設けられている。また、底壁３の上面３ａと上記軒樋接続口２が設けられていない側壁１ｂとの間には上記側壁１ｂに垂直でかつ底壁３にも垂直な方向に片状の支持体５ｅが２片ずつ設けられ、底壁３の上面３ａに合計４つの支持体５ｅが設けられているものである。このような形状の集水器を一の集水器の底壁３の下面３ｂを他方の集水器Ａの開口から挿入して上下に積み重ねるものである。この際には、一の集水器Ａが他方の集水器Ａの上に位置するものであり、上の集水器Ａの底壁３の下面３ｂを下の集水器Ａの底面３の上面３ａに設けた支持体５ｅに載せ、上記支持体５ｅにより上の集水器Ａを支えるものである。このようにして複数個の集水器を上下に積み重ねて、かさを少なくして、保管したり輸送したりするものである。
【０００３】
【発明が解決しようとする課題】
しかしながら、上記のような片状の支持体５ｅでは、上に積み重ねた集水器Ａの下面３ｂが線状の薄い巾の片に載ることになり、集水器Ａを上下に積み重ねた状態が不安定なものであるという問題があった。
【０００４】
本発明は上記の点に鑑みてなされたものであり、安定的な集水器の積み重ねの状態を維持する支持体を設けた集水器を提供することを課題とするものである。
【０００５】
【課題を解決するための手段】
上記課題を解決するために本発明の請求項１に係る集水器の構造は、上面を開口せる容器状で両側の対向する側壁１ａに軒樋を接続する軒樋接続口２を有すると共に底壁３に竪樋に接続する排水口１０を有する集水器Ａであって、上に位置する集水器Ａを下に位置する集水器Ａ内に挿入して複数積み重ねたとき上に位置する集水器Ａの底壁３の下面３ｂを受けて支持する水平な平面の受け面６が上端に形成された支持体５を三角柱状または台形柱状に形成し、この支持体５を軒樋の長手方向と平行な側壁１ｂの中央部分で上記側壁１ｂと排水口１０の間の底壁３の上面３ａに配設し、上記支持体５の軒樋接続口２に対向する側面が軒樋から流れる水を排水口１０に導き得るような傾斜面８を形成したことを特徴とするものである。これにより、集水器Ａを上下に積み重ねたときに上の集水器Ａの底面３の下面３ｂを、集水器Ａの底壁３の上面３ａに複数設けた支持体５の上端の広い平面を受け面６として支持することができ、集水器Ａを安定して積み重ねることができるものであり、また、三角柱状または台形柱状の支持体５ｃ，５ｄの軒樋接続口２に対向する側面が軒樋から流れる水を排水口１０に導き得るように傾斜面８を形成することができ、軒樋から流れる水をスムーズに排水口１０に導くことができるものである。
【０００６】
【発明の実施の形態】
以下、本発明を添付図面に示す実施形態に基づいて説明する。
【０００７】
図１に本発明の実施の形態を示す。本発明に係る集水器の構造は、開口を上面に有した略直方体の容器状のものであり、ひとつの側壁１ａには軒樋が接合される軒樋接続口２が設けられていて、上記側壁１ａと反対側の側壁１ａにも軒樋接続口２が設けられるものである。また底壁３の中央には竪樋と接続する排水口１０が穿設してあり、下方に延びる竪樋が接合するものであり、底壁３の上面３ａに支持体５を設けるものである。本例においては図１（ａ）に示すように、支持体５は三角柱状の支持体５ｃとしてあり、この支持体５ｃを、集水器Ａの長手方向と平行な側壁１ｂの中央部分で、上記側壁１ｂと排水口１０との間の底壁３の上面３ａにおいて配設している。詳しくは、この支持体５ｃはその上端が水平な平面に形成されており、図１（ｂ）のように、支持体５ｃの上端の広い平面を受け面６として上の集水器Ａの底壁３の下面３ｂを支持するため、集水器Ａを安定して上下に積み重ねることができるものである。なお、図１（ｂ）では便宜上、２つの集水器Ａを上下に積み重ねているものを示すものであるが、通常、複数個の集水器Ａが上下に積み重ねられるものである。また、上記支持体５ｃの軒樋接続口２に対向する側面は軒樋から流れる水を排水口１０に導き得るような傾斜面８を形成しており、軒樋から流れ込む水をスムーズに排水口１０に導くことができるものである。ここで、本例においては上記支持体５ｃと集水器Ａは、後に述べる別体で支持体５を製造した際の集水器Ａへの取り付け工程を省くといった製造上の簡易化を図って、樹脂の一体成型で製造しているものであり、支持体５ｃは集水器Ａの外側から見ると溝が形成されるような中空体である。この一体成型による工法では後に述べる支持体５ｃ'を別体に設ける工法よりもコストがかからないものであるが、上記のように集水器Ａの外郭に溝ができ、外観が悪くなるものでもあるので、図３（ａ）のように三角柱状の支持体５ｃ'を別体に設けて、後に集水器Ａと接合させるような工法を用いることも好ましいことである。無論、別体の支持体５ｃ'を用いる工法では、一体成型においての型の複雑化を避けることができ、この点で製造上の簡易化が図られるのは言うまでもない。
【０００８】
また、実施の形態の他例として、図２（ａ）のように支持体５を台形柱状の支持体５ｄとすることも好ましいものである。この例は上記の三角柱状の支持体５ｃと同様の効果を期するものであるが、台形柱状の支持体５ｄにしたことで、集水器を上下に積み重ねた際に、三角柱状の支持体５ｃよりも台形柱状の支持体５ｄの上面の面積が大きなものであるので、上下に積み重ねた上の集水器Ａの底壁３の下面３ｂをより広い平面の受け面６に載せることができ、積み重ねた集水器Ａに大きな安定感を与えることができるものである。また、三角柱状の支持体５ｃに比べて軒樋接続口２により近く、軒樋接続口２と対向する側面を位置させて、軒樋から流れる水を排水口１０に導く傾斜面８を設けることができるので、軒樋から流れる水量が大きな場合においても、より確実に排水口１０に導かせることができるものである。また、本例においても三角柱状の支持体５ｃと同様な理由で、図３（ｂ）にあるように台形柱状の支持体５ｄ'を集水器Ａと別体に製造することも好ましいことである。
【０００９】
【発明の効果】
上記のように本発明の請求項１記載の集水器の構造にあっては、上面を開口せる容器状で両側の対向する側壁に軒樋を接続する軒樋接続口を有すると共に底壁に竪樋に接続する排水口を有する集水器であって、上に位置する集水器を下に位置する集水器内に挿入して複数積み重ねたとき上に位置する集水器の底壁の下面を受けて支持する水平な平面の受け面が上端に形成された支持体を三角柱状または台形柱状に形成し、この支持体を軒樋の長手方向と平行な側壁の中央部分で上記側壁と排水口の間の底壁の上面に配設し、上記支持体の軒樋接続口に対向する側面が軒樋から流れる水を排水口に導き得るような傾斜面を形成したので、集水器を上下に積み重ねたときの上の集水器の荷重を広い平面を受け面とすることで、集中することなく支持体の変形などを起こしにくいものであり、集水器の安定的な積み重ねの状態を維持することができるものである。また、軒樋接続口に対向する支持体の側面に設けた傾斜面によっては、軒樋から流れる水をスムーズに排水口に導くことができるものである。
【図面の簡単な説明】
【図１】（ａ）は同上の実施の形態の例の集水器の上面図であり、（ｂ）は前記集水器を上下に積み重ねた状態を示す側面の部分断面図である。
【図２】（ａ）は同上の実施の形態の他例の集水器の上面図であり、（ｂ）は前記集水器を上下に積み重ねた状態を示す側面の部分断面図である。
【図３】同上の実施の形態の他例を示すものであり、（ａ）は三角柱状の支持体の斜視図であり、（ｂ）は台形柱状の支持体の斜視図である。
【図４】（ａ）は従来の例の集水器の上面図であり、（ｂ）は前記集水器を上下に積み重ねた状態を示す側面の部分断面図である。
【符号の説明】
１  側壁
１ｂ  側壁
２  軒樋接続口
３  底壁
３ａ  上面
３ｂ  下面
５  支持体
５ｃ  支持体（三角柱状）
５ｄ  支持体（台形柱状）
６  受け面
８  傾斜面
１０  排水口
【図１】
0003580199.tif 000002
【図２】
0003580199.tif 000003
【図３】
0003580199.tif 000004
【図４】
0003580199.tif 000005